(57)【要約】      （修正有）【課題】灌水時に流れ出る余分な水を吸収した吸収パッドを取り替える必要がなく、植木鉢用の受け皿も必要とせず、植木鉢側面からの水分蒸発を抑制することで水分量調整機能を有する植木鉢型成形品を提供する。【解決手段】植木鉢型成形品１０は、植木鉢の形状に成型されており、栽培用土に含まれる余分な水分を吸収して外部に放出する機能を有する水分吸収蒸発部３０と、水分吸収蒸発部３０の側面と底面の一部を除いた内壁に形成されており、水分を通さない素材から形成される水分不透過層４０を備えている。【選択図】図１
0003229064.tif 000002
【実用新案登録請求の範囲】
【請求項１】
植物等の栽培用土の水分量を調節することができる植木鉢型成形品であって、
植木鉢の形状に成型されており、栽培用土に含まれる余分な水分を吸収して外部に放出する機能を有する水分吸収蒸発部と、
前記水分吸収蒸発部の側面と底面の一部を除いた内壁に形成されており、水分を通さない素材から形成される水分不透過層を備えていることを特徴とする植木鉢型成形品。
【請求項２】
前記水分吸収蒸発部の素材は、大鋸屑であることを特徴とする請求項１に記載の植木鉢型成形品。
【考案の詳細な説明】
【技術分野】
【０００１】  本考案は、灌水（いわゆる水遣り）時における内部に溜まった余分な水を吸収し、空気中に蒸発させることにより外部に放出する機能を備えた植木鉢型成形品に関する。
【背景技術】
【０００２】  植木鉢等を使用して植物を育てる際に行う潅水は、一般的に考えられているような植物に根から水を吸収させる目的以外にも、根が呼吸するのに必要な酸素を供給する目的、葉に付着した埃などを落とす目的、高温期であれば葉や土の温度を下げる目的等もあると言われている。これらの目的を達成するため、潅水は、「鉢土が乾いたら、鉢底から水が流れ出るくらいにたっぷりと行うこと」が基本であると言われている。【０００３】  しかしながら、鉢底から水が流れ出るくらいにたっぷりと潅水を行うと、植木鉢の下に設置する受け皿に水が溜まって鉢土の底に近い部分は過湿状態が続いてしまい、かかる状態を繰り返すことで根が腐ってしまう（いわゆる根腐れ）原因にもなり兼ねないため、潅水する毎に植木鉢の受け皿に溜まった水をいちいち捨てなければならなかった。【０００４】  さらに、植木鉢として良く使用される素焼き鉢の表面には目に見えない小さな穴がたくさん開いているため、樹脂製の植木鉢との比較において、高い通気性、吸水性、排水性が得られ、多くの植物にとって相性のよい植木鉢となっている一方で、通気性に優れているということは、植木鉢全体から水分が蒸発しやすいということであり、そのため、土が乾燥し易くなってしまい、湿気を好む種類の植物にとっては水分が足りなくなってしまうという欠点があった。【０００５】  特許文献１には、「鉢植えの植木に灌水するとき鉢底から流れ出る余分な水を全て吸水し、植木鉢の受け皿に水が溜まったままの状態になることを防止するための室内植木の鉢受け皿用吸水セットを提供する。」ことを課題として、「灌水時、鉢底から鉢受け皿に流れ出る余分な水を全て吸水するための吸水パッドと、植木を載せる役目、及び吸水パッドを収容する役目の台座をセットにして使用することを特徴とする室内植木の鉢受け皿用吸水セット（特許文献１：要約：解決手段）。」が開示されている。
【先行技術文献】
【特許文献】
【０００６】
【特許文献１】特開２００９−２４７３３６
【考案の概要】
【考案が解決しようとする課題】
【０００７】  特許文献１に係る考案は、植木鉢の下に設置した受け皿に水が溜まったままの状態になることを防止するため、受け皿用吸水セットを提供するものである。受け皿用吸水セットは、吸水パッドと台座をセットにしたものであり、灌水時において、吸水パッドにより鉢底から鉢受け皿に流れ出る余分な水を全て吸水してしまおうとするものである。特許文献１に係る考案であれば、受け皿に水が溜まったままの状態になることを防止することができるが、水を吸収した吸収パッド自体を取り替える必要があり、植木鉢用受け皿が必要とされるものであった。さらに、植木鉢側面全体から水分が蒸発してしまい、植木鉢内部の土が乾燥し易いことに対しては何らの対策もなされていないものであった。【０００８】  かかる状況を鑑みて、出願人らは鋭意研究し開発を行った結果、灌水時に流れ出る余分な水を吸収した吸収パッド自体を取り替える必要も無いのみならず、植木鉢用の受け皿も必要としない本考案に至ったのである。【０００９】  本考案の目的は、灌水時に流れ出る余分な水を吸収し、空中に蒸発させることにより排出する機能を有するので、受け皿を必要としない植木鉢型成形品を提供することにある。
【課題を解決するための手段】
【００１０】  上記課題を解決するために本願請求項１に記載した考案は、植物等の栽培用土の水分量を調節することができる植木鉢型成形品であって、植木鉢の形状に成型されており、栽培用土に含まれる余分な水分を吸収して外部に放出する機能を有する水分吸収蒸発部と、前記水分吸収蒸発部の側面と底面の一部を除いた内壁に形成されており、水分を通さない素材から形成される水分不透過層を備えている植木鉢型成形品であることを特徴とするものである。【００１１】  本願請求項２に記載した考案は、請求項１に記載した考案において、前記水分吸収蒸発部の素材は、大鋸屑である植木鉢型成形品であることを特徴とするものである。尚、水分吸収蒸発部の素材としては、大鋸屑（おがくず）以外にも水分を吸収する性質を有するものであれば何であっても良い。
【考案の効果】
【００１２】  本考案に係る植木鉢型成形品は、植木鉢型成形品の大部分を構成し、内部の余分な水分を吸収して外部に放出する機能を有する水分吸収蒸発部と、水分吸収蒸発部の側面と底面の一部を除いた内壁に設置された水分不透過層から形成されている。内部の余分な水分を吸収して外部に放出する機能を有する水分吸収蒸発部を備えているので、植木鉢下部に溜まるであろう余分な水分を吸収して植木鉢外部に蒸発させることができるようになった。従って、従来の植木鉢のように、植木鉢の受け皿に溜まった水をいちいち捨てる必要が無くなったどころか、植木鉢用受け皿を設置する必要も無くなった。【００１３】  そして、水分吸収蒸発部の側面と底面の一部を除いた内壁には、水分を通さない素材から形成される水分不透過層を備えているので、水分吸収蒸発部の（内部の）土に面する側からの水分の浸透を遮断することで、水分蒸発を抑制することができるようになったため、植物等の栽培用土が乾燥し過ぎることも無くなり、湿気を好む種類の植物にも水分を十分に与えることができるようになった。要するに、植物等の栽培用土の上部においては耐乾燥性を向上させるとともに、植物等の栽培用土の下部においては、余分な水分を吸収し蒸発させることで、土の中の水分量が過剰にならないようにすることができるようになった。
【図面の簡単な説明】
【００１４】
【図１】本実施例に係る植木鉢型成形品の全体断面図である。
【図２】植木鉢型成形品の原理を説明するための図である。
【考案を実施するための形態】
【００１５】＜植木鉢型成形品の構造＞
以下、本考案に係る植木鉢型成形品１０について、図１〜図２を参照しつつ詳細に説明する。図１は、本実施例に係る植木鉢型成形品１０の全体断面図である。
【００１６】  図１に記載したように、本実施例に係る植木鉢型成形品１０は、内部の余分な水分を吸収して（植木鉢型成形品１０）外部に放出する機能を有する水分吸収蒸発部３０と、水分を通さない素材から形成された水分不透過層４０を備えている。水分吸収蒸発部３０は、植木鉢型成形品の大部分を構成し、内部の余分な水分を吸収して外部に放出する機能を有している。水分不透過層４０は、水分吸収蒸発部３０の内側の側面全体に亘って、及び底面の一部に設置されている。
【００１７】  水分吸収蒸発部３０は、主に、大鋸屑（おがくず）を略植木鉢形状に成型した成型物である。尚、水分吸収蒸発部３０を形成する素材は、大鋸屑（おがくず）以外にも水分を吸収する性質を有するもの（例えば、綿、集成材等の木材、竹炭等の多孔質材、和紙等の繊維を細かく砕いたもの等）であれば何であっても良いし、これらの混合物であっても良い。
【００１８】＜植木鉢型成型品の原理＞
図２は、本実施例に係る植木鉢型成形品１０の原理を説明するための図である。本考案に係る植木鉢型成形品１０は、汎用品の植木鉢にそのまま設置することができるので、本実施例においては、汎用品の植木鉢（以後、植木鉢本体２０と記載する）に植木鉢成形品１０を設置した形態における植木鉢型成型品１０の原理を説明する。
【００１９】  植木鉢型成形品１０は、図２に記載したように、水分を吸収する素材である大鋸屑成型物（大鋸屑を樹脂等で固めたもの）からなる水分吸収蒸発部３０と、ナイロン、ポリスチレン、ポリエステル、塩化ビニール等の素材からなるフィルム状、及びシート状の水分不透過層４０を備えており、植木鉢本体２０の内壁面に設置することにより、植木鉢本体２０側面からの水分蒸発を抑制することができる。さらに、植木鉢本体２０内部（特に植木鉢本体２０下部）の植物等の栽培用土に溜まる余分な水分を吸収し、毛細管現象（繊維と繊維の「隙間」のような細い空間を、重力や上下左右に関係なく液体が浸透していく現象）等によって、植木鉢本体２０外部に蒸発させて放出することにより（図２において水分の吸収蒸発経路を矢印にて記載）、植木鉢本体２０内部の植物等の栽培用土に余分な水分が溜まらないようにするものである。
【００２０】＜植木鉢型成形品の効果＞
本考案のポイントは、植木鉢型成形品１０を植木鉢本体２０の内壁面に沿って設置することで、植木鉢内部（主に下部）の植物等の栽培用土に溜まる余分な水分を吸収して蒸発させることができることで、植木鉢本体２０が通気性の優れた素焼き鉢であっても植木鉢本体２０側面からの水分蒸発を抑制することができるようになったことで（植木鉢）内部の植物等の栽培用土の水分量を調整することができるようになったことである。
【００２１】  要するに、内部の植物等の栽培用土が乾燥し過ぎることもなく、湿気を好む種類の植物にも水分を十分に与えることができる植木鉢型成形品１０を実現することができるようになった。即ち、植物等の栽培用土の上部においては耐乾燥性を向上させるとともに、植物等の栽培用土の下部においては、余分な水分を吸収し、蒸発させることで、植物等の栽培用土の中の水分量が過剰にならないようにすることができるようになった。
【００２２】＜植木鉢型成形品の変更例＞
本考案に係る植木鉢型成形品は、上記実施形態の態様に何ら限定されるものではなく、植木鉢本体、水分吸収蒸発部、水分不透過層等の構成を、本考案の趣旨を逸脱しない範囲で、必要に応じて適宜変更することができる。例えば、植木鉢型成形品の水分不透過層の代わりに育苗ポットを設置することで本考案と同様の効果を得ることができる。
【００２５】  本考案に係る植木鉢型成形品は、上記の如く優れた効果を奏するものであるので、鉢植え園芸に関する分野等で好適に用いることができる。
【符号の説明】
【００２６】  １０・・植木鉢型成形品
２０・・植木鉢本体
３０・・水分吸収蒸発部
４０・・水分不透過層
【図１】
0003229064.tif 000003
【図２】
0003229064.tif 000004